【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
イオン反応器であって、
１つ以上の槽であって、各槽が一対の電極を含み、前記一対の電極の少なくとも一方が金属を有する、１つ以上の槽と、
複数の正帯電イオン及び複数の負帯電イオンを含む水流であって、前記１つ以上の槽を通じて流れる水流と、
前記水流を通る電界を生成するために前記一対の電極に印加された電圧と、
を備え、
前記金属の１つ以上のイオンが、前記水流の１つ以上の正帯電イオンによって置換される、イオン反応器。
【請求項２】
１つ以上の前記複数の負帯電イオンを前記金属の前記１つ以上の正帯電イオンと反応させてイオン化合物を生成する、請求項１に記載のイオン反応器。
【請求項３】
１つ以上の任意の残留した複数の正帯電粒子を別の１つ以上の前記複数の負帯電粒子と反応させて別のイオン化合物を生成する、請求項２に記載のイオン反応器。
【請求項４】
前記イオン化合物及び任意の前記別のイオン化合物を前記水流から分離するように構成された分離器をさらに備える、請求項３に記載のイオン反応器。
【請求項５】
前記電圧が交流電圧である、請求項１に記載のイオン反応器。
【請求項６】
前記電圧が波形によって規定されており、前記波形が正弦波、矩形波、台形波及びこれらの任意の組み合わせのうちのいずれか１つである、請求項１に記載のイオン反応器。
【請求項７】
前記金属がマグネシウム、アルミニウム及びこれらの任意の組み合わせのうちのいずれか１つである、請求項１に記載のイオン反応器。
【請求項８】
超音波送信機をさらに備えて、前記一対の電極に沿った沈殿物層の堆積を防止する、請求項１に記載のイオン反応器。
【請求項９】
複数の正帯電イオン及び複数の負帯電イオンを含む水流を供給することと、
少なくともいずれか一方が金属を含む第１電極と第２電極との間に前記水流を流すことと、
前記第１電極と前記第２電極とにわたって電圧を印加することにより、前記水流を横切る電界を生成することと、
前記金属の１つ以上のイオンを前記水流の１つ以上の前記複数の正帯電イオンで置換することと、
を含む水処理方法。
【請求項１０】
１つ以上の前記複数の負帯電イオンを前記金属の前記１つ以上の正帯電イオンと反応させてイオン化合物を生成することをさらに含む、請求項９に記載の方法。
【請求項１１】
１つ以上の任意の残留した複数の正帯電イオンを、別の１つ以上の前記複数の負帯電イオンと反応させて別のイオン化合物を生成することをさらに含む、請求項１０に記載の方法。
【請求項１２】
前記イオン化合物及び任意の前記別のイオン化合物を前記水流から除去することをさらに含む、請求項１１に記載の方法。
【請求項１３】
前記電圧が交流電圧である、請求項９に記載の方法。
【請求項１４】
前記電圧が波形によって規定されており、前記波形が正弦波、矩形波、台形波及びこれらの任意の組み合わせのうちのいずれか１つである、請求項９に記載の方法。
【請求項１５】
前記金属がマグネシウム、アルミニウム及びこれらの任意の組み合わせのうちのいずれか１つである、請求項９に記載の方法。
【請求項１６】
反応器を備えた水処理システムであって、
１つ以上の槽であって、各槽が一対の電極を含み、前記一対の電極の少なくとも一方が金属を有する１つ以上の槽と、
複数の正帯電イオン及び複数の負帯電イオンを含む水流であって、前記１つ以上の槽を通じて流れる水流と、
前記水流を通る電界を生成するために前記一対の電極に印加された電圧と、
を備え、
前記金属の１つ以上のイオンが、前記水流の１つ以上の前記複数の正帯電イオンによって置換される、水処理システム。
【請求項１７】
１つ以上の前記複数の負帯電イオンを前記金属の前記１つ以上の正帯電イオンと反応させてイオン化合物を生成する、請求項１６に記載のシステム。
【請求項１８】
任意の残留した１つ以上の複数の正帯電粒子を、別の１つ以上の前記複数の負帯電粒子と反応させて別のイオン化合物を生成する、請求項１７に記載のシステム。
【請求項１９】
前記イオン化合物及び任意の前記別のイオン化合物を前記水流から分離するように構成された分離器をさらに備える、請求項１８に記載のシステム。
【請求項２０】
前記金属がマグネシウム、アルミニウム及びこれらの任意の組み合わせのうちのいずれか１つである、請求項１６に記載のシステム。
【手続補正２】
【補正対象書類名】明細書
【補正対象項目名】００８８
【補正方法】変更
【補正の内容】
【００８８】
本明細書に記載された本発明の多くの変型例及び他の実施形態が前述の説明とその関連図面において呈示された教示の利点を持つことが、これらの発明に関係する当業者にとって想到されるであろう。従って、本発明は開示された特定の実施形態に限定されるものではなく、添付された特許請求の範囲内に変型例及び他の実施形態が含まれることを意図するものであることを理解すべきである。さらに、前述の説明とその関連図面は、構成要素及び／または機能のある例示的な組み合わせに関連した例示的実施形態を記載しているが、添付された特許請求の範囲から逸脱することなく、構成要素及び／または機能の種々の組み合わせが代替的実施形態によって提供されることを理解すべきである。その際、例えば、明示的に上述されたもの以外の構成要素及び／または機能の種々の組み合わせも同様に、添付された特許請求の範囲の一部に記載されているものとみなされる。本明細書では具体的な用語を用いているが、これらは一般的かつ記述的な意味のみで使用されており、限定を目的とするものではない。
本発明のまた別の態様は、以下のとおりであってもよい。
〔１〕イオン反応器であって、
１つ以上の槽であって、各槽が一対の電極を含み、前記一対の電極の少なくとも一方が金属を有する、１つ以上の槽と、
複数の正帯電イオン及び複数の負帯電イオンを含む水流であって、前記１つ以上の槽を通じて流れる水流と、
前記水流を通る電界を生成するために前記一対の電極に印加された電圧と、
を備え、
１つ以上の前記複数の正帯電イオンが、前記金属の１つ以上の正帯電イオンによって置換される、イオン反応器。
〔２〕１つ以上の前記複数の負帯電イオンを前記金属の前記１つ以上の正帯電イオンと反応させてイオン化合物を生成する、前記〔１〕に記載のイオン反応器。
〔３〕１つ以上の任意の残留した複数の正帯電粒子を別の１つ以上の前記複数の負帯電粒子と反応させて別のイオン化合物を生成する、前記〔２〕に記載のイオン反応器。
〔４〕前記イオン化合物及び任意の前記別のイオン化合物を前記水流から分離するように構成された分離器をさらに備える、前記〔３〕に記載のイオン反応器。
〔５〕前記電圧が交流電圧である、前記〔１〕に記載のイオン反応器。
〔６〕前記電圧が波形によって規定されており、前記波形が正弦波、矩形波、台形波及びこれらの任意の組み合わせのうちのいずれか１つである、前記〔１〕に記載のイオン反応器。
〔７〕前記金属がマグネシウム、アルミニウム及びこれらの任意の組み合わせのうちのいずれか１つである、前記〔１〕に記載のイオン反応器。
〔８〕超音波送信機をさらに備えて、前記一対の電極に沿った沈殿物層の堆積を防止する、前記〔１〕に記載のイオン反応器。
〔９〕複数の正帯電イオン及び複数の負帯電イオンを含む水流を供給することと、
少なくともいずれか一方が金属を含む第１電極と第２電極との間に前記水流を流すことと、
前記第１電極と前記第２電極との間に電圧を印加することにより、前記水流を横切る電界を生成することと、
１つ以上の前記複数の正帯電イオンを前記金属の１つ以上の正帯電イオンで置換することと、
を含む水処理方法。
〔１０〕１つ以上の前記複数の負帯電イオンを前記金属の前記１つ以上の正帯電イオンと反応させてイオン化合物を生成することをさらに含む、前記〔９〕に記載の方法。
〔１１〕１つ以上の任意の残留した複数の正帯電イオンを、別の１つ以上の前記複数の負帯電イオンと反応させて別のイオン化合物を生成することをさらに含む、前記〔１０〕に記載の方法。
〔１２〕前記イオン化合物及び任意の前記別のイオン化合物を前記水流から除去することをさらに含む、前記〔１１〕に記載の方法。
〔１３〕前記電圧が交流電圧である、前記〔９〕に記載の方法。
〔１４〕前記電圧が波形によって規定されており、前記波形が正弦波、矩形波、台形波及びこれらの任意の組み合わせのうちのいずれか１つである、前記〔９〕に記載の方法。
〔１５〕前記金属がマグネシウム、アルミニウム及びこれらの任意の組み合わせのうちのいずれか１つである、前記〔９〕に記載の方法。
〔１６〕反応器を備えた水処理システムであって、
１つ以上の槽であって、各槽が一対の電極を含み、前記一対の電極の少なくとも一方が金属を有する１つ以上の槽と、
複数の正帯電イオン及び複数の負帯電イオンを含む水流であって、前記１つ以上の槽を通じて流れる水流と、
前記水流を通る電界を生成するために前記一対の電極に印加された電圧と、
を備え、
１つ以上の前記複数の正帯電イオンが、前記金属の１つ以上の正帯電イオンによって置換される、水処理システム。
〔１７〕１つ以上の前記複数の負帯電イオンを前記金属の前記１つ以上の正帯電イオンと反応させてイオン化合物を生成する、前記〔１６〕に記載のシステム。
〔１８〕任意の残留した１つ以上の複数の正帯電粒子を、別の１つ以上の前記複数の負帯電粒子と反応させて別のイオン化合物を生成する、前記〔１７〕に記載のシステム。
〔１９〕前記イオン化合物及び任意の前記別のイオン化合物を前記水流から分離するように構成された分離器をさらに備える、前記〔１８〕に記載のシステム。
〔２０〕前記金属がマグネシウム、アルミニウム及びこれらの任意の組み合わせのうちのいずれか１つである、前記〔１６〕に記載のシステム。